(57)【特許請求の範囲】
【請求項１】
縦柱間に水平桟を架設した建枠に取付けんとするパイプ構造物が、手すり枠とその両側に枢止した縦パイプからなる持ち上がり式先行手すり枠に形成され、両側の縦パイプに、上記建枠の水平桟に対して斜め上部から係止するフックを有し、このフックを水平桟に係止した状態で、建枠の縦柱に対して縦パイプを、持ち上がり式先行手すり枠の面方向に対する固定と、持ち上がり式先行手すり枠の面方向と直交する方向の固定を行う取付け装置を設け、両側の縦パイプを片側ずつ持ち上げて、上記取付け装置で上位の建枠に取り付けることにより、建枠の継ぎ足しごとに、持ち上がり式先行手すり枠を持ち上げて順次上方の建枠に移行させるようにする仮設足場へのパイプ構造物の取付け方法。
【請求項２】
上記持ち上がり式先行手すり枠における両縦パイプの一方を、直線状態から持ち上がり式先行手すり枠の面方向内側に折り曲がげ可能とし、この一方縦パイプの折り曲げを利用して、常に両縦パイプの片方を取付け装置で建枠に固定し、もう一方の縦パイプを建枠に対してフリーとすることで、両側の縦パイプを片側ずつ持ち上げて、順次上方の建枠に移行させる請求項１に記載の仮設足場へのパイプ構造物の取付け方法。
【請求項３】
縦柱間に水平桟を架設した建枠に取付けんとするパイプ構造物が、手すり桟と、その両側に枢止した縦パイプと、両側縦パイプ間に対角線を結ぶようにクロス状態で取付けられた二つ折り可能なブレースとからなる先行手すり筋交いに形成され、両側の縦パイプに、上記建枠の水平桟に対して斜め上部から係止するフックを有し、このフックを水平桟に係止した状態で、建枠の縦柱に対して縦パイプを、先行手すり筋交いの面方向に対する固定と、先行手すり筋交いの面方向と直交する方向の固定を行う取付け装置を設け、両側の縦パイプを片側ずつ持ち上げて、上記取付け装置で先行手すり筋交いを建枠間に取り付けるようにする仮設足場へのパイプ構造物の取付け方法。
【請求項４】
縦柱間に水平桟を架設した建枠に取付けんとするパイプ構造物の縦パイプに、上記水平桟に対して斜め上部から係止するフックと、水平桟にフックを係止した状態で、先端の凹欠部が上記縦柱に外嵌し、縦パイプを水平桟の軸方向に移動しないように規制する外接ヒンジと、同じく水平桟にフックを係止した状態で先端が上記縦柱に外接し、縦パイプを縦柱に対して接近方向に移動しないよう規制する規制プレートと、同じく水平桟にフックを係止した状態で縦柱と縦パイプにわたって外接し、縦パイプを縦柱に対して離反方向に移動しないよう規制する抱持金具とを取付け、上記抱持金具が縦柱と縦パイプにわたって外接する状態から外接を解く位置に回動させることができるようになっている仮設足場へのパイプ構造物の取付け装置。
【請求項５】
横長の手すり枠と、この手すり枠の両端部に上端を枢止した一対の縦パイプとからなり、一方縦パイプが途中から二つ折り可能に形成され、上記一対の縦パイプの下端部で相反する外面側に請求項４に記載のパイプ構造物の取付け装置を設けた持ち上がり式先行手すり枠。
【請求項６】
横長の手すり桟と、この手すり桟の両端部に上端を枢止した一対の縦パイプと、一対の縦パイプ間に対角線を結ぶようにクロス状態で取付けられた二つ折り可能なブレースとからなり、上記一対の縦パイプの下端部で相反する外面側に請求項４に記載のパイプ構造物の取付け装置を設けた先行手すり筋交い。
【発明の詳細な説明】
【０００１】
【発明の属する技術分野】
この発明は、仮設枠組足場を構築する建枠に、持ち上がり式先行手すり枠や先行手すり筋交いのようなパイプ構造物を取付ける方法と、この取付けに用いる取付け装置及び、上記取付け装置を用いた持ち上がり式先行手すり枠と先行手すり筋交いに関する。
【０００２】
【従来の技術】
従来、各種建物や土木等の建設工事に使用される一般的な仮設枠組足場は、門型や鳥居型の建枠と交差筋交い及び足場板を使用し、対向させた建枠を交差筋交いで結合すると共に、対向する建枠の上部水平桟間に足場板を架設し、建枠の上方への継ぎ足しと水平方向への建て増しを行なうことにより、所望する高さと平面的な長さを有する足場を構築するものである。なお、足場の構築に用いる他の資材としては、ジャッキベース、階段、布枠、梁渡、壁つなぎ、養生金網等を挙げることができる。
【０００３】
【発明が解決しようとする課題】
ところで、上記従来の枠組足場の構築方法では、対向する建枠や縦柱の上部間に架設した足場板の上で上方への継ぎ足し作業を行なうとき、足場板の上部周囲に何も存在しないことになり、このため、高所作業となる足場板上での組み立て作業の安全対策が取れず、墜落のような事故が発生する危険性があるという問題がある。
【０００４】
そこで、この発明の課題は、足場板の上部で建物と反対側の位置に、足場板上での作業に先行して、持ち上がり式先行手すり枠や先行手すり筋交いのようなパイプ構造物を配置することができ、高所作業となる足場板上での組み立て作業の安全確保が実現できる建枠へのパイプ構造物の取付け装置とこれを用いた手すり枠を提供することにある。
【０００５】
【課題を解決するための手段】
上記のような課題を解決するため、請求項１の発明は、縦柱間に水平桟を架設した建枠に取付けんとするパイプ構造物が、手すり枠とその両側に枢止した縦パイプからなる持ち上がり式先行手すり枠に形成され、両側の縦パイプに、上記建枠の水平桟に対して斜め上部から係止するフックを有し、このフックを水平桟に係止した状態で、建枠の縦柱に対して縦パイプを、持ち上がり式先行手すり枠の面方向に対する固定と、持ち上がり式先行手すり枠の面方向と直交する方向の固定を行う取付け装置を設け、両側の縦パイプを片側ずつ持ち上げて、上記取付け装置で上位の建枠に取り付けることにより、建枠の継ぎ足しごとに、持ち上がり式先行手すり枠を持ち上げて順次上方の建枠に移行させるようにする構成を採用したものである。
【０００６】
請求項２の発明は、上記持ち上がり式先行手すり枠における両縦パイプの一方を、直線状態から持ち上がり式先行手すり枠の面方向内側に折り曲がげ可能とし、この一方縦パイプの折り曲げを利用して、常に両縦パイプの片方を取付け装置で建枠に固定し、もう一方の縦パイプを建枠に対してフリーとすることで、両側の縦パイプを片側ずつ持ち上げて、順次上方の建枠に移行させる構成を採用したものである。
【０００７】
請求項３の発明は、縦柱間に水平桟を架設した建枠に取付けんとするパイプ構造物が、手すり桟と、その両側に枢止した縦パイプと、両側縦パイプ間に対角線を結ぶようにクロス状態で取付けられた二つ折り可能なブレースとからなる先行手すり筋交いに形成され、両側の縦パイプに、上記建枠の水平桟に対して斜め上部から係止するフックを有し、このフックを水平桟に係止した状態で、建枠の縦柱に対して縦パイプを、先行手すり筋交いの面方向に対する固定と、先行手すり筋交いの面方向と直交する方向の固定を行う取付け装置を設け、両側の縦パイプを片側ずつ持ち上げて、上記取付け装置で先行手すり筋交いを建枠間に取り付けるようにする構成を採用したものである。
【０００８】
請求項４の発明は、縦柱間に水平桟を架設した建枠に取付けんとするパイプ構造物の縦パイプに、上記水平桟に対して斜め上部から係止するフックと、水平桟にフックを係止した状態で、先端の凹欠部が上記縦柱に外嵌し、縦パイプを水平桟の軸方向に移動しないように規制する外接ヒンジと、同じく水平桟にフックを係止した状態で先端が上記縦柱に外接し、縦パイプを縦柱に対して接近方向に移動しないよう規制する規制プレートと、同じく水平桟にフックを係止した状態で縦柱と縦パイプにわたって外接し、縦パイプを縦柱に対して離反方向に移動しないよう規制する抱持金具とを取付け、上記抱持金具が縦柱と縦パイプにわたって外接する状態から外接を解く位置に回動させることができるようになっている構成を採用したものである。
【０００９】
上記各発明において、水平桟に係止するフックは、水平桟に嵌挿する溝が斜め４５度の角度で傾斜し、水平桟にフックを係止した状態でパイプ構造物を吊り下げ状に仮り置きと、上下方向の静止とができるようになっていると共に、外接ヒンジは、抱持金具を挟んで上下二箇所に配置され、規制プレートはそれよりも上部に位置し、外接ヒンジと規制プレート及び抱持金具が、縦柱に対して縦パイプを固定化することになる。
【００１０】
また、持ち上がり式先行手すり枠の発明は、横長の手すり枠と、この手すり枠の両端部に上端を枢止した一対の縦パイプとからなり、一方縦パイプが途中から二つ折り可能に形成され、上記一対の縦パイプの下端部で相反する外面側に上記請求項４の発明に記載のパイプ構造物の取付け装置を設けた構成を採用したものである。
【００１１】
上記手すり枠は対向する建枠間に納まる横方向の長さを有し、上端をこの手すり枠に枢止した一対の縦パイプは、手すり枠に対してそれぞれ重なるように折り畳むことができるようになっている。
【００１２】
更に、先行手すり筋交いの発明は、横長の手すり桟と、この手すり桟の両端部に上端を枢止した一対の縦パイプと、一対の縦パイプ間に対角線を結ぶようにクロス状態で取付けられた二つ折り可能なブレースとからなり、上記一対の縦パイプの下端部で相反する外面側に上記請求項４の発明に記載のパイプ構造物の取付け装置を設けた構成を採用したものである。
【００１３】
上記一対の縦パイプは、手すり桟に対してそれぞれ重なるように折り畳むことができ、かつ、ブレースも二つ折り可能なので、縦パイプを折り畳むと、手すり桟と縦パイプに重なるように折り畳むことができる。
【００１４】
【発明の実施の形態】
以下、この発明の実施の形態を図示例と共に説明する。
【００１５】
図１乃至図６に示す第１の実施の形態は、建枠１を用いて構築した仮設枠組み足場に対して取付けるパイプ構造物が、組み上げていく足場の最上部建枠１間に取付けると共に、足場の組み上がりに追従して上昇させる持ち上がり式先行手すり枠２の例である。
仮設枠組み足場の構築に用いる建枠１は、周知のように、両側の縦柱３間の上部に水平桟４を架設して結合することで門型や鳥居型に形成され、縦柱３の上端にジョイントパイプ５が設けられ、縦柱３の上下端部で対向面側にブレースピン６が突設された構造になっている。
【００１６】
この建枠１を用いて仮設枠組み足場を構築するには、建枠１を所定の間隔で対向させ、ブレースピン６を利用して対向する建枠１を交差筋交い７で結合し、更に、対向する建枠１の上部水平桟４間に足場板８を架設することで対向する建枠１を起立固定化し、このようにして建枠１の上方への継ぎ足しと水平方向への建て増しを行なうことにより、所望する高さと平面的な長さに組み立てるものである。
【００１７】
上記持ち上がり式先行手すり枠２は、仮設枠組み足場の構築時において、最上部に位置して対向する建枠１間の上部に取付けることにより、この最上部建枠１の水平桟４間に架設した足場板８に対し、建物と反対側で上部の位置に手すり枠２を配置し、該足場板８上での作業の安全性を確保すると共に、建枠１の上方への継ぎ足しが行われると、上記手すり枠２を取り外し、これを持ち上げて継ぎ足した建枠１の上部に取付けるものである。
【００１８】
この持ち上がり式先行手すり枠２は、図１と図２のように、鋼管やアルミパイプを用い、対向する建枠１間に納まる横方向の長さを有する横長の手すり枠９と、同じく鋼管やアルミパイプを用い、この手すり枠９の両端部にピン１０で上端が枢止され、対向する建枠１の内側に縦柱３と平行するよう配置する一対の縦パイプ１１とからなり、一方の縦パイプ１１は下端寄りの途中で上部縦パイプ１１ａと下部縦パイプ１１ｂに分離され、上部縦パイプ１１ａと下部縦パイプ１１ｂはヒンジ１２で二つ折り可能に接続され、上記一対の縦パイプ１１と１１の下端部で相反する外面側に、それぞれ建枠１への取付け装置１３が設けられている。
【００１９】
上記一対の縦パイプ１１は、建枠１における縦柱３の高さ寸法の略半分程度の長さを有し、手すり枠９に対して下方に突出する状態から手すり枠９の面方向に沿って内側に回動させて重ねることができ、この折り畳みにより全体が嵩低くなって搬送や収納に便利なようになっていると共に、上部縦パイプ１１ａと下部縦パイプ１１ｂの接続ヒンジ１２による折れ曲がり方向は、上記回動と同じく手すり枠９の面方向に沿うようになっている。
【００２０】
上記取付け装置１３は、図３乃至図６のように、縦パイプ１１に、建枠１の水平桟４に対して斜め上部から係止するフック１４と、水平桟４にフック１４を係止した状態で、先端の凹欠部が上記縦柱３に外嵌し、縦パイプ１１を持ち上がり式先行手すり枠２の面方向と直角の水平方向に移動しないように規制する上下の外接ヒンジ１５、１６と、同じく水平桟４にフック１４を係止した状態で先端が上記縦柱３に外接し、縦パイプ１１を縦柱３に対して接近方向に移動しないよう規制する規制プレート１７と、同じく水平桟４にフック１４を係止した状態で縦柱３と縦パイプ１１にわたって外接し、縦パイプ１１を縦柱３に対して持ち上がり式先行手すり枠２の面方向に沿う離反方向に移動しないよう規制する抱持金具１８を取付けた構造になっている。
【００２１】
上記フック１４は、図４のように、持ち上がり式先行手すり枠２を対向する建枠１間に配置したとき、縦パイプ１１に対して建枠１の面方向に沿う建物側の側面に固定され、このフック１４は、垂直の金属板を用い、建枠１の面方向内側に向けて斜めに突出した後、途中から先端側が建枠１の水平桟４と直角の配置となり、このフック１４には、図３のように、水平桟４に嵌挿する溝１９が先端側の下部で開放して斜め４５度の角度で傾斜するように設けられ、水平桟４にフック１４を係止した状態で、持ち上がり式先行手すり枠２を吊り下げ状にした仮り置き状態と、上下垂直方向の静止とができるようになっている。
【００２２】
上下の外接ヒンジ１５、１６は、水平の金属板を用い、建枠１の縦柱３に向けて水平に突出するその先端に縦柱３へ外嵌する略半円状の凹欠部２０を設けて形成され、図５のように、水平桟４にフック１４を係止した状態で先端の凹欠部２０が上記縦柱３に外嵌し、縦柱３に対して縦パイプ１１を垂直の平行状態にして、建枠１の面方向に揺動することのないように上下二箇所で保持するものであり、上位の外接ヒンジ１５は、フック１４の下端部の位置に溶接で固定され、下位の外接ヒンジ１６は縦パイプ１１の下端部に溶接で固定されている。
【００２３】
また、規制プレート１７は、水平の金属板を用いて形成され、上位の外接ヒンジ１５よりも少し上の位置に溶接で固定され、図４のように、縦柱３に先端が当接する状態で縦パイプ１１を縦柱３に対して  持ち上がり式先行手すり枠２の面方向に沿って接近移動しないように規制している。
【００２４】
上記のように、フック１４を斜め上部から建枠１の水平桟４に係止すると、上下の外接ヒンジ１５、１６と規制プレート１７が縦柱３に対して接触し、縦パイプ１１が縦柱３に対して平行する状態で、縦パイプ１１を、フック１４の水平桟４から抜ける方向以外に移動が生じないように保持することになる。このような配列は、型式やメーカごとに異なる建枠１のブレースピン６の位置やジョイントパイプ５の構造の違い、建枠１のインチとメートルのサイズの違い等に対応できることになる。
【００２５】
前記抱持金具１８は、図５のように、上下の外接ヒンジ１５、１６間の位置において、縦パイプ１１の側面に、縦柱３に向けて突出して外接するよう水平に固定したホルダー２１と、このホルダー２１で回動可能に保持した抱持部材２２とからなり、ホルダー２１は断面上向きコ字状の溝型材を用いて形成され、また、抱持部材２２は、ホルダー２１に嵌まる線径の金属線材を用いてコ字状に形成され、両側の対向する端部がホルダー２１の両端から突出し、ホルダー２１に嵌まる部分を中心に上下方向へ回転可能となっている。
【００２６】
この抱持部材２２は、水平桟４にフック１４を係止した状態で、縦パイプ１１側へ水平に倒せば、図５（Ａ）と（Ｃ）のように、ホルダー２１から突出する両端部が縦パイプ１１と縦柱３にわたって外接し、縦柱３に対して縦パイプ１１を離反する方向に移動しないように保持することになる。この抱持部材２２による縦柱３の保持により、水平桟４にフック１４を係止した縦パイプ１１は縦柱３に対して取り外し不能の状態に結合されることになる。
【００２７】
上記抱持部材２２が縦パイプ１１と縦柱３にわたって外接する水平状態を保持するため、ホルダー２１の端部には、抱持部材２２の端部下面を受ける支持片２３が設けてあり、図５（Ｂ）のように、この抱持部材２２を両端が上方に向くよう回動させることにより、両端部の縦パイプ１１と縦柱３にわたる外接を解くことができる。
【００２８】
図６のように、一方の縦パイプ１１においては、上記取付け装置１３が下部縦パイプ１１ｂに取付けられ、また、抱持金具１８は一方縦パイプ１１においては、図５（Ｃ）と図６のように建物側の側面に、他方縦パイプ１１においては、図５（Ａ）のように、建物と反対側の側面にそれぞれ固定した配置となり、しかも、両側縦パイプ１１に設けた取付け装置１３は、図４（Ａ）と（Ｂ）のように、フック１４の溝１９を設けた先端側が建枠１の面方向に沿って変位するようにし、持ち上がり式先行手すり枠２を建枠１を挟んで隣接する配置とした場合に、取付け装置１３のフック１４が互いに干渉することのないようになっている。
【００２９】
この発明の第１の実施の形態である持ち上がり式先行手すり枠２とその取付け装置１３は、上記のような構成であり、次に、その使用方法を説明する。
【００３０】
図１と図２は、建枠１を用いて仮設枠組み足場を構築する途中の状態を示し、建枠１を所定の間隔で対向させ、ブレースピン６を利用して対向する建枠１を交差筋交い７で結合し、対向する建枠１の上部水平桟４間に足場板８を架設し、この足場板８上に載って建枠１の上方への継ぎ足しと横方への建て増しを行う。
【００３１】
上記仮設枠組み足場の構築時において、継ぎ足しによって最上部となる建枠１間の建物と反対側の位置の上端部に、持ち上がり式先行手すり枠２を上方に突出するように取付ける。
【００３２】
持ち上がり式先行手すり枠２の取付けは、両側縦パイプ１１の下端部に設けた取付け装置１３のフック１４の溝１９を建枠１の水平桟４に対して斜め上部から係止し、上下の外接ヒンジ１５、１６と規制プレート１７を縦柱３に対して接触させ、縦パイプ１１が縦柱３に対して平行する状態で、抱持金具１８の抱持部材２２を水平にし、その両端を縦柱３と縦パイプ１１に外接させることにより、縦パイプ１１の下端部を縦柱３の上端部に垂直の配置で固定することによって行う。
【００３３】
図２のように、上記のような取付けにより、最上部となる建枠１間の上端から上方に両側縦パイプ１１が突出し、両側縦パイプ１１の上端間に手すり枠９が位置することになり、最上部となる建枠１の水平桟４間に足場板８を張設すると、この足場板８の建物と反対側の上部位置において、予め手すり枠９が配置された状態となり、当該足場板８上での作業に対する安全性の確保が行えることになる。
【００３４】
図１は、上記持ち上がり式先行手すり枠２を上方に持ち上げる場合の途中の状態を示し、建枠１の継ぎ足しと、対向する建枠１の交差筋交い７での結合が行われた後、一方縦パイプ１１に設けた取付け装置１３の抱持部材２２を回動させ、一方縦パイプ１１と縦柱３への外接を解き、下部縦パイプ１１ｂを手で握ってフック１４の溝１９が水平桟４から抜ける方向に持ち上げると、取付け装置１３と下部縦パイプ１１ｂが建枠１から離反し、手すり枠９は一方縦パイプ１１が押し上げられることで他方縦パイプ１１の枢止点を支点にして傾斜し、一方縦パイプ１１は接続ヒンジ１２の部分から折れ曲がる。
【００３５】
このようにして、一方縦パイプ１１の下部縦パイプ１１ｂを最上部となる建枠１の上端にまで持ち上げ、この下部縦パイプ１１ｂの取付け装置１３に設けたフック１４の溝１９を最上部建枠１の水平桟４に対して斜め上部から係止し、上下の外接ヒンジ１５、１６と規制プレート１７を縦柱３に対して三点接触させ、下部縦パイプ１１ｂが縦柱３に対して平行する状態で、抱持金具１８の抱持部材２２を水平にして縦柱３と下部縦パイプ１１ｂに外接させると、図１のように、手すり枠９が傾斜した仮置き状態になる。
【００３６】
次に、他方縦パイプ１１に設けた取付け装置１３の抱持部材２２を回動させ、他方縦パイプ１１と縦柱３への外接を解き、他方縦パイプ１１を手で握ってフック１４の溝１９が水平桟４から抜ける方向に持ち上げると、取付け装置１３と他方縦パイプ１１が建枠１から離反し、手すり枠９は他方縦パイプ１１が押し上げられることで一方縦パイプ１１の枢止点を支点にして回動し、最上部となる建枠１の上端にまで持ち上げた他方縦パイプ１１の取付け装置１３に設けたフック１４の溝１９を、最上部建枠１の水平桟４に対して斜め上部から係止し、上下の外接ヒンジ１５、１６と規制プレート１７を縦柱３に対して三点接触させ、縦パイプが縦柱３に対して平行する状態で、抱持金具１８の抱持部材２２を水平にして縦柱３と縦パイプ１１に外接させると、図２のように、持ち上がり式先行手すり枠２は、最上部建枠１間の上部に突出した取付け状態となり、最上部建枠１の水平桟４間に足場板８を張設すると、この足場板８の建物と反対側の上部位置において、予め手すり枠９が配置された状態となる。
【００３７】
このように、建枠１が継ぎ足されるごとに、持ち上がり式先行手すり枠２を上方に持ち上げて行くことにより、最上部の足場板８に対して持ち上がり式先行手すり枠２の手すり枠９を先行して配置することができ、最上部足場板８上での作業の安全性の確保が可能になると共に、持ち上がり式先行手すり枠２の持ち上げ操作は、必ず片方の縦パイプ１１が建枠１に取付けられているので、持ち上げ操作が大きな力を必要とすることなく行え、しかも、落下させるような心配もなくなる。
【００３８】
また、この持ち上がり式先行手すり枠２は、仮設枠組み足場の構築時に最上部建枠１間に取付けて上方に順次持ち上げていくので、枠組み足場の構築は既存の資材をそのまま使用することができるという利点がある。
【００３９】
次に、図７乃至図１０に示す第２の実施の形態は、建枠を用いて構築する仮設枠組み足場に対して取付けるパイプ構造物が、対向する建枠を互いに結合して枠組み足場を組み立てるための先行手すり筋交いの例である。
【００４０】
この先行手すり筋交い３１は、鋼管やアルミパイプを用い、対向する建枠１間に納まる長さを有する手すり桟３２と、同じく鋼管やアルミパイプを用いて建枠１の高さの略半程度の長さを有し、この手すり桟３２の両端部に接続ヒンジを介してピン３３で上端が枢止され、図７のように、対向する建枠１の内側に縦柱３と平行するよう配置する一対の縦パイプ３４と、一対の縦パイプ３４間に対角線を結ぶようにクロス状態で配置された二つ折り可能なブレース３５とからなり、上記一対の縦パイプ３４の上端部外面に、建枠１の縦柱３に対して先端の凹欠部が外接する水平のヒンジ３６が固定され、更に、上記両縦パイプ３４と３４の下端部で相反する外面側に、第１の実施の形態と同じ構造の取付け装置１３がそれぞれ設けられている。
【００４１】
なお、この第２の実施の形態においては、取付け装置１３の詳細な図示は省いたが、第１の実施の形態と同じ構造であるので、以下の説明において、取付け装置１３に関する部分は、第１の実施の形態と同じ符号を用いることにする。
【００４２】
上記両縦パイプ３４は、先行手すり筋交い３１の面方向に沿って、手すり桟３２に対して順に重なるように折り畳むことができ、また、ブレース３５は、図９（Ｂ）のように、長尺パイプ３５ａの下端側に短尺パイプ３５ｂを接続金具３７のピン３８で連結し、長尺パイプ３５ａと短尺パイプ３５ｂが軸方向に平行する伸直状態からピン３８を支点に、先行手すり筋交い３１の面方向に沿って二つ折り可能になっており、図８のように、この長尺パイプ３５ａの上端が手すり桟３２の端部にピン３３を利用して枢止され、また、短尺パイプ３５ｂの下端が縦パイプ３４の下端部にピン３９で枢止され、両ブレース３５の伸直状態で両縦パイプ３４と３４は、手すり桟３２に対して直角の状態で互いに平行するよう保持される。
【００４３】
また、ブレース３５を二つ折りにすることにより、図１０（Ａ）と（Ｂ）のように、縦パイプ３４は、手すり桟３２に対して重なるように折り畳まれ、二つ折りになったブレース３５は、手すり桟３２及び縦パイプ３４に対して重なり状となり、全体が嵩低くなって搬送や収納に便利になっている。
【００４４】
この発明の第２の実施の形態である先行手すり筋交いは、上記のような構成であり、次に、その使用方法を説明する。
【００４５】
図７は、建枠１と先行手すり筋交い３１を用いて仮設枠組み足場を構築する途中の状態を示し、建枠１を所定の間隔で対向させ、最下部の対向する建枠１はブレースピン６を利用して交差筋交い７で結合し、対向する建枠１の上部水平桟４間に足場板８を架設し、この足場板８上に載って建枠１の上方への継ぎ足しと横方への建て増しを行う。
【００４６】
上記仮設枠組み足場の構築時において、二段目からの対向する建枠１の結合を先行手すり筋交い３１で行い、建枠１間の建物と反対側の位置に、先行手すり筋交い３１を上方に突出するように取付ける。
【００４７】
先行手すり筋交い３１の取付けは、上述した第１の実施の形態の場合と同じく、両側縦パイプ３４の下端部に設けた取付け装置１３のフック１４の溝１９を建枠１の水平桟４に対して斜め上部から係止し、上下の外接ヒンジ１５、１６と規制プレート１７を縦柱３に対して接触させ、縦パイプ３４が縦柱３に対して平行する状態で、抱持金具１８の抱持部材２２を水平にして縦柱３と縦パイプ３４に外接させることによって行う。
【００４８】
図７のように、上記のような取付けにより、上部となる建枠１間の上端から上方に両側縦パイプ３４が突出し、両側縦パイプ３４の上端間に手すり桟３２が位置することになり、また、伸直したブレース３５が対向する建枠１の結合強度を確保し、上部となる建枠１の水平桟４間に足場板８を張設すると、この足場板８の建物と反対側の上部位置において、予め手すり桟３２とブレース３５が配置された状態となり、当該足場板８上での作業に対する安全性の確保が行えることになる。
【００４９】
図７は、上記先行手すり筋交い３１の取付け途中と取付け後の状態を並べて示し、建枠１の継ぎ足しが行われた後、図７の左側に示したように、折り畳み状態にある先行手すり筋交い３１を足場板８上で保持し、手すり桟３２に対して少し開いた一方の縦パイプ３４を垂直にして一方の建枠１に臨ませ、下端部に設けた取付け装置１３のフック１４の溝１９を建枠１の水平桟４に対して斜め上部から係止し、上下の外接ヒンジ１５、１６と規制プレート１７を縦柱３に対して接触させ、一方縦パイプ３４が縦柱３に対して平行する垂直状態で、抱持金具１８の抱持部材２２を水平にしてその両端を縦柱３と一方縦パイプ３４に外接させる。図１０（Ｃ）と（Ｄ）は、この時の先行手すり筋交い３１の状態を拡大して示している。
【００５０】
次に、図７の中央に示したように、他方縦パイプ３４の下端を保持して開きながら持ち上げて行くと、ブレース３５が伸直しながら手すり桟３２は一方縦パイプ３４の上端を支点に回動し、一方縦パイプ３４に対して手すり桟３２が直角になった時点で一方のブレース３５が直線状となる。図８（Ａ）は、この時の先行手すり筋交い３１の状態を拡大して示している。
【００５１】
この後、他方縦パイプ３４を垂直にして他方の建枠１に臨ませ、下端部に設けた取付け装置１３のフック１４の溝１９を他方建枠１の水平桟４に対して斜め上部から係止し、上下の外接ヒンジ１５、１６と規制プレート１７を縦柱３に対して接触させ、他方縦パイプ３４が縦柱３に対して平行する垂直状態で、抱持金具１８の抱持部材２２を水平にして縦柱３と一方縦パイプ３４に外接させると、他方のブレース３５も直線状となり、図７の右側に示したように、対向する建枠１が先行手すり筋交い３１で結合され、最上部建枠１の水平桟４間に足場板８を張設すると、この足場板８の建物と反対側の上部位置において、予めその上部に手すり桟３２とブレース３５が突出した配置となる。図８（Ｂ）は、この時の先行手すり筋交い３１の状態を拡大して示している。
【００５２】
なお、先行手すり筋交い３１で結合した建枠１の上に次の建枠１を継ぎ足したとき、この建枠１における縦柱３の途中がヒンジ３６で保持され、仮設足場の組み立て後において、先行手すり筋交い３１の上端部はその両端が建枠１と固定化されることになる。
【００５３】
このように、建枠１が継ぎ足されるごとに、先行手すり筋交い３１で結合して仮設足場を組み立てていくと、最上部の足場板８に対してその上部に常に手すり桟３２とブレース３５を先行して配置することができ、最上部足場板８上での作業の安全性の確保が可能になる。
【００５４】
【発明の効果】
以上のように、この発明の取付け装置を用いることにより、仮設足場を構築する建枠に対してパイプ構造物を簡単確実に取付けることができ、足場板の上部で建物と反対側の位置に、足場板上での作業に先行して、パイプ構造物である持ち上がり式先行手すり枠や先行手すり筋交いを配置することができ、高所作業となる足場板上での組み立て作業の安全確保が実現できるようになる。
【００５５】
また、取付け装置を用いて仮設足場を構築する建枠に、持ち上がり式先行手すり枠や先行手すり筋交いを取付けることにより、高所作業となる足場板上での組み立て作業の安全確保が実現でき、この持ち上がり式先行手すり枠や先行手すり筋交いは、折り畳み構造になっているので、搬送や収納性に優れている。
【００５６】
更に、持ち上がり式先行手すり枠や先行手すり筋交いは、対向する建枠への取付け作業を片側ずつ交互に行うので、取付け作業が少ない力で行えるだけでなく、片側が建枠に取付けられていることにより、落下による事故の発生を有効に防ぐことができる。
【図面の簡単な説明】
【図１】建枠へのパイプ構造物の取付け方法の第１の実施の形態である、持ち上がり式先行手すり枠を仮設枠組み足場に対して取り付ける途中を示す正面図
【図２】同上の持ち上がり式先行手すり枠を仮設枠組み足場に取り付けた状態を示す正面図
【図３】持ち上がり式先行手すり枠の取付け装置を拡大して示す正面図
【図４】（Ａ）は図３の矢印ａ−ａに沿う横断平面図、（Ｂ）は図３の矢印ｂ−ｂに沿う横断平面図
【図５】（Ａ）は図３の矢印ｃ−ｃに沿う横断平面図、（Ｂ）は同上の抱持部材を開放位置にした状態を示す図３の矢印ｃ−ｃに沿う横断平面図、（Ｃ）は図３の矢印ｄ−ｄに沿う横断平面図
【図６】（Ａ）は持ち上がり式先行手すり枠の取付け装置と建枠を示す分解斜視図、（Ｂ）は持ち上がり式先行手すり枠の縦パイプにおける接続ヒンジを示す正面図
【図７】建枠へのパイプ構造物の取付け方法の第２の実施の形態である、先行手すり筋交いを仮設枠組み足場に対して取り付ける作業状態を示す正面図
【図８】（Ａ）は先行手すり筋交いの折り畳み途中を示す正面図、（Ｂ）は同展開状態を示す正面図
【図９】（Ａ）は先行手すり筋交いの構造を示す正面図、（Ｂ）は同上におけるブレースの接続金具の構造を示す正面図
【図１０】（Ａ）は先行手すり筋交いの折り畳み状態を示す概略正面図、（Ｂ）は同要部の拡大正面図、（Ｃ）は先行手すり筋交いの折り畳み途中の状態を示す概略正面図、（Ｄ）は同要部の拡大正面図
【符号の説明】
１    建枠
２    持ち上がり式先行手すり枠
３    縦柱
４    水平桟
５    ジョイントパイプ
６    ブレースピン
７    交差筋交い
８    足場板
９    手すり枠
１０  ピン
１１  縦パイプ
１２  接続ヒンジ
１３  取付け装置
１４  フック
１５  外接ヒンジ
１６  外接ヒンジ
１７  規制プレート
１８  抱持金具
１９  溝
２０  凹欠部
２１  ホルダー
２２  抱持部材
２３  支持片
３１  先行手すり筋交い
３２  手すり桟
３３  ピン
３４  縦パイプ
３５  ブレース
３６  ヒンジ
３７  接続金具
３８  ピン
３９  ピン
【図１】
0003892710.tif 000002
【図２】
0003892710.tif 000003
【図３】
0003892710.tif 000004
【図４】
0003892710.tif 000005
【図５】
0003892710.tif 000006
【図６】
0003892710.tif 000007
【図７】
0003892710.tif 000008
【図８】
0003892710.tif 000009
【図９】
0003892710.tif 000010
【図１０】
0003892710.tif 000011